(57)【要約】【課題】カメラ使用者に特段の作業を要求せず、カメラのマウント部に対して潤滑効果を維持するための潤滑剤を補給することが可能なマウントキャップを提供する。【解決手段】このマウントキャップは、レンズが着脱可能な撮像装置において、前記レンズが備えるレンズ側マウント、または前記撮像装置が備える撮像装置側マウントを覆うマウントキャップであって、前記レンズ側または前記撮像装置側マウントと当接する当接面を有する第１の部材と、前記レンズ側または前記撮像装置側マウントと嵌合する第２の部材と、を備え、前記第１および第２の部材の少なくとも１つは、含油可能な部材である。【選択図】図１
2015121747.tif 000002
【特許請求の範囲】
【請求項１】
レンズが着脱可能な撮像装置において、前記レンズが備えるレンズ側マウント、または前記撮像装置が備える撮像装置側マウントを覆うマウントキャップであって、
前記レンズ側または前記撮像装置側マウントと当接する当接面を有する第１の部材と、
前記レンズ側または前記撮像装置側マウントと嵌合する第２の部材と、
を備え、
前記第１および第２の部材の少なくとも１つは、含油可能な部材である
ことを特徴とするマウントキャップ。
【請求項２】
前記第１の部材の前記当接面は、前記レンズが前記撮像装置に取り付けられた場合に前記レンズ側マウントと前記撮像装置側マウントとが当接する当接面を含む
ことを特徴とする請求項１に記載のマウントキャップ。
【請求項３】
前記第２の部材は、前記レンズ側または前記撮像装置側マウントが有する複数の爪部と係合する係合部を有する
ことを特徴とする請求項１または２に記載のマウントキャップ。
【請求項４】
前記撮像装置側マウントと前記レンズ側マウントを装着するための構造は、バヨネット構造である
ことを特徴とする請求項１〜３のいずれか１項に記載のマウントキャップ。
【請求項５】
前記撮像装置側マウントの材質は、アルミニウム合金である
ことを特徴とする請求項１〜４のいずれか１項に記載のマウントキャップ。
【請求項６】
前記含油可能な部材は、多孔質金属である
ことを特徴とする請求項１〜５のいずれか１項に記載のマウントキャップ。
【請求項７】
前記含油可能な部材は、多孔質プラスチックである
ことを特徴とする請求項１〜５のいずれか１項に記載のマウントキャップ。
【発明の詳細な説明】
【技術分野】
【０００１】
本発明は、レンズ着脱可能な撮像装置のマウント部を保護するマウントキャップに関する。
【背景技術】
【０００２】
一眼レフカメラのようなレンズ着脱可能な撮像装置では、レンズ（レンズユニット）をカメラ側のマウント部に着脱するための機構として、バヨネット式マウントが広く用いられている。バヨネット式マウントでは、カメラ側とレンズ側のマウントを回転摺動させることによってカメラに対してレンズを装着する構造である。マウントには高い機械強度、耐食性が求められるため、材質としてステンレスや真鍮などが用いられてきた。
【０００３】
近年、一眼レフカメラの普及とともに、ボディの軽量化の要求が大きくなっている。軽量化のために、例えば、カメラ側のマウント材質として、アルマイト処理を施し耐食性を高めたアルミニウム合金が採用される。この場合、従来用いられてきたステンレスと比べてアルマイト処理表面は摩擦抵抗が高いため、レンズ着脱を繰り返すと摩耗し、粉塵が発生しやすい。粉塵がマウント表面に蓄積すると、摩擦抵抗が上昇しレンズ着脱時の摺動を妨げ、結果として、レンズ着脱時の操作感が悪化する恐れがある。さらに、発生した粉塵がレンズやカメラ内部の撮像部に付着することで、撮影画像が劣化する可能性も考えられる。
【０００４】
一眼レフカメラのようなレンズ着脱可能な撮像装置には、レンズ未装着時のカメラ内部に粉塵、水滴などの異物が侵入するのを防止するため、マウントキャップが付随している場合が多い。近年、マウントキャップに対して上記の目的に加え、クリーニング用部品としての役割を担わせることもある。特許文献１では、発生した粉塵を除去するために、カメラのマウントキャップに粘着ローラーを配した構造が開示されている。
【先行技術文献】
【特許文献】
【０００５】
【特許文献１】特開２０１０−１４５６３２号公報
【発明の概要】
【発明が解決しようとする課題】
【０００６】
しかしながら、摺動により発生した粉塵による悪影響を防ぐためには、特許文献１のようにクリーニングを施すことも有効であるが、粉塵の発生を防ぐように摺動性を高める方法がより有効的な対策である。マウント部に潤滑剤を塗布することで摩擦抵抗を抑え、耐摩耗性を向上させることはできるが、レンズの着脱を繰り返すことで潤滑剤の摩擦低減効果が徐々に弱まり、やがては摩耗が発生してしまう。定期的に潤滑剤を補給することが望ましいが、カメラの使用者にとっては、従来に比べてメンテナンスの手間が増えることになってしまう。
【０００７】
本発明は、上記課題を鑑みてなされたものであり、カメラ使用者に余分な作業を要求せず、カメラのマウント部に対して潤滑効果を維持するための潤滑剤を補給することが可能なマウントキャップを提供することを目的とする。
【課題を解決するための手段】
【０００８】
上記課題を解決するために、本発明に係るマウントキャップは、レンズが着脱可能な撮像装置において、前記レンズが備えるレンズ側マウント、または前記撮像装置が備える撮像装置側マウントを覆うマウントキャップであって、前記レンズ側または前記撮像装置側マウントと当接する当接面を有する第１の部材と、前記レンズ側または前記撮像装置側マウントと嵌合する第２の部材と、を備え、前記第１および第２の部材の少なくとも１つは、含油可能な部材であることを特徴とする。  
【発明の効果】
【０００９】
本発明によれば、レンズ着脱可能な撮像装置における、レンズ着脱時の摺動による粉塵の発生を抑え、良好なレンズ着脱の操作感を得、さらに、粉塵がカメラ内部に侵入し、撮影画像に影響を与えるのを防ぐこともできるマウントキャップを提供することができる。
【図面の簡単な説明】
【００１０】
【図１】本発明の一実施形態に係るマウントキャップの斜視図である。
【図２】撮像装置およびそれに装着するレンズユニットの中央断面図である。
【図３】カメラ側マウントの斜視図および断面図である。
【図４】レンズ側マウントの斜視図および断面図ある。
【図５】カメラ側マウントとレンズ側マウントの装着動作を説明する図である。
【図６】カメラ側マウントとレンズ側マウントの装着動作を説明する図である。
【発明を実施するための形態】
【００１１】
以下、本発明を実施するための形態について図面などを参照して説明する。
【００１２】
まず、図１は、本実施形態に係るマウントキャップを示す図である。マウントキャップ１は、レンズが着脱可能なカメラのレンズユニット未装着時のカメラに対して、内部の保護を目的として装着されるものである。そのため、カメラ側マウント（撮像装置側マウント）に対して装着するための構造は、後述するレンズ側マウント３０に類似した構造である。
【００１３】
マウントキャップ１は、略円盤形状のマウントキャップ基部から、円筒部が付き出した形状を有する。後述のカメラ側マウント２０に対して光軸方向の位置決めをするための当接部１０１、径方向の位置決めをするための嵌合部１０２が設けられている。円筒部の外周に沿って、カメラ側マウントの爪部に係合する位置に、円筒部から外周方向へ対して突き出る形で係留構造を有する係留爪（係合部）１０３、１０４、１０５が設けられる。
【００１４】
これらの係留爪は、後述のレンズ側マウントの爪部３０３、３０４、３０５と同じ役割を有する。本実施形態に係るマウントキャップ１の特徴として、当接部１０１および嵌合部１０２は、例えば、含油可能な材料で形成されている。図１中では、各含油部は斜線ハッチングにて示している。
【００１５】
本実施形態においてマウントキャップ１は、二種類の材質を組み合わせて構成されている。マウントキャップ１の含油部以外の箇所は、ポリカーボネート樹脂で、含油部においてはフッ素系多孔質樹脂（多孔質プラスチック）で構成されている。不図示であるが、両部材は、圧入嵌合により締結されている。また、含油部である当接部１０１、嵌合部１０２は、あらかじめフッ素系グリスに浸漬させ、潤滑剤を充填させた状態で提供される。なお、使用する潤滑剤は、本実施形態のものに限定されるものではない。
【００１６】
図２は、本実施形態に係るマウントキャップ１が適用されるデジタル一眼レフカメラ（以下カメラ）２およびレンズユニット３の中央断面図である。カメラ２に対しレンズユニット３は、レンズ側マウント３０を介してカメラ側マウント２０また、図中に一点鎖線で示しているのは撮影光軸を表す。なお、本実施形態では、デジタル一眼レフカメラを例にとるが、本発明が適用される撮像装置はこれに限定されない。
【００１７】
カメラ２は、外装によって内部を覆われており、内部には、ミラーユニット２４、オートフォーカス（ＡＦ）ユニット２５、ファインダーユニット２６、測光ユニット２７、シャッターユニット２８、撮像ユニット２９が配置されている。レンズユニット３も外装によって内部を覆われており、内部には撮像レンズ３１がある。撮像レンズ３１は、図２中では一枚のレンズとして表しているが、実際は、複数のレンズからなるレンズ群である。カメラ２とレンズユニット３の電気接続は、カメラ側電気接点２１とレンズ側電気接点３２によって行われる。位相指標３３は、レンズユニット３をカメラ２に装着する際に、後述するカメラ側マウント２０にある位相指標２０８と位相を合わせるためのものである。
【００１８】
ミラーユニット２４は、半透過鏡であるメインミラー２４１と全反射鏡のサブミラー２４２で構成されており、レンズユニット３を介して入射した光を、それぞれファインダーユニット２６とＡＦユニット２５に導く。また、図２中に記載されている両ミラーの位置は、撮影待機状態での位置であり、撮影時には撮像ユニット２９に光を導くため、図中点線の箇所へと退避することが可能である。
【００１９】
ファインダーユニット２６へ導かれた光は、フォーカシングスクリーン２６１の位置で結像する。結像した像は、ペンタプリズム２６２を介して接眼レンズ２６３へと導かれ、撮影者は、接眼レンズ２６３を透過したフォーカシングスクリーン２６１上の像を視認することができる。なお、図中では接眼レンズ２６３は、一枚のレンズとして示しているが、実際は、複数のレンズの組み合わせたレンズ群である。
【００２０】
測光ユニット２７は、測光レンズ２７１および測光センサ２７２で構成される。測光ユニット２７は、ファインダーユニット２６の近傍にあり、測光センサ２７２は、測光レンズ２７１を介して、接眼レンズ２６３とは別の角度からフォーカシングスクリーン２６１上の像を観察している。測光センサ２７２は、光電センサであり、入射した光から、入射光の強度やその分布を測定する。
【００２１】
メインミラー２４１を透過し、サブミラー２４２へと導かれた光は、図中下方のＡＦユニット２５へと導かれる。ＡＦユニット２５中の結像位置には測距センサ２５１が配置されており、被写体との距離を測定する。撮影時には、先述の通り、ミラーユニット２４は、図中点線位置へと退避し、撮像ユニット２９へと撮影光線が導かれる。撮像ユニット２９の前にはシャッターユニット２８があり、所望の時間だけシャッター幕を開閉させることができる。従って、撮像ユニット２９へ光線が入射する時間を制御することができる。
【００２２】
撮像ユニット２９は、光学ローパスフィルター２９１および撮像センサ２９２で構成される。シャッターユニット２８を通過してきた光線は、光学ローパスフィルター２９１を介して像分離された上で、撮像センサ２９２へ入射する。撮像センサ２９２は、入射した光を光電変換することで、被写体像を電気信号として保存することができる。
【００２３】
次に、図３〜図６を用いて、カメラ側とレンズ側のマウント構造について詳細に説明する。図３（Ａ）は、カメラ側マウント２０およびその周辺構造物の分解斜視図であり、図３（Ｂ）は、カメラ側マウント２０のみの図３（Ａ）に示す一点鎖線部を示す断面図である。カメラ側マウント２０は、略円環形状をしており、本実施形態では、その材質は、例えば、表面にアルマイト処理を施したアルミニウムである。当接部２０１は、レンズ側マウント３０と光軸方向の位置決めをする当接部であり、嵌合部２０２は、レンズ側マウント３０と半径方向の位置決めをするための嵌合部である。
【００２４】
それぞれの当接、嵌合状態は図５、６を用いて後述する。カメラ側マウント２０内径側の３箇所には爪部２０３、２０４、２０５が設けられている。４箇所の穴２０６は、カメラ側マウント２０を不図示のカメラ本体に対してねじ締結するための穴である。穴２０７は、レンズを固定するためのロックピン２３と嵌合する穴である。ロックピン２３は、円柱状の金属ピンを、金属板に対してかしめることで作製される。また、ロックピン２３は、不図示のばねを用いてカメラ側マウント２０に対して被写体方向へ付勢されている。
【００２５】
本実施形態のカメラは、バヨネット構造を採用しており、凹形状２０８は、位相指標であり、レンズユニット３を装着する際の目印になる。バヨネットばね２２は、金属にて作製される一体化した板ばね部品であり、カメラ側マウント２０の爪部２０３、２０４、２０５の撮影者側にあたる位置に、円弧部２１１、２１２、２１３が配置されている。
【００２６】
次に、図４を参照して、レンズ側マウント３０の構成について説明する。図４（Ａ）は、レンズ側マウント３０とレンズユニット３の斜視図であり、図中点線で示すのは、レンズユニット３の外形である。図４（Ｂ）は、図４（Ａ）の一点鎖線部の断面図である。レンズ側マウント３０は、中空平板状の基部から、中空の円筒形状が伸びた略円環形状である。当接部３０１は、カメラ側マウント２０の当接部２０１と相対し、嵌合部３０２は、カメラ側マウント２０の嵌合部２０２と相対する。それぞれの当接、嵌合状態については図５、６を用いて後述する。
【００２７】
円筒部からは爪部３０３、３０４、３０５が外径方向に出っ張る形で設けられている。中空部には、レンズ側通信接点３２や、撮像レンズ３１が配置されるが、図４中では、省略している。レンズ側マウント３０は、４箇所ある穴３０６でねじ締結される。凹形状３０７は、カメラ側にあるロックピン２３が嵌る穴である。穴３０８は、回転止めピンを締結するための穴であり、レンズ側マウント３０に対し別体のストッパーピン３４がねじ締結されている。図４中では、ストッパーピンは、爪部３０４に隠れる位置にあるため、点線にて示している。
【００２８】
次に、図５および図６を参照して、カメラ２とレンズユニット３を装着する際の動作について説明する。図５は、カメラ２に対し、レンズユニット３を装着するため、レンズユニット３をカメラ２に差し込んだ状態であり、図６（Ａ）は、図５の状態からレンズユニット２を図中時計回り方向に所定の角度だけ回転させた状態の図である。図６（Ｂ）は、（Ａ）における一点鎖線部の断面図である。
【００２９】
なお、両マウント部の関係を説明するために、図５と図６（Ａ）中ではカメラ側マウント２０、レンズ側マウント３０以外の構成部品については、図示していない。また、カメラ側マウント２０、レンズ側マウント３０の構造を簡略化し、カメラ側マウント２０は白抜き、レンズ側マウント３０は斜線ハッチングにて示している。
【００３０】
図５に示すように、レンズ側マウント３０をカメラ側マウント２０に差し込んだ状態では、レンズ側マウントの爪部３０３、３０４、３０５とカメラ側マウント爪部２０３、２０４、２０５は、正対しない位置に配置されている。また、図５のように、正規の位相でカメラに対してレンズを取り付けた場合、レンズ側マウント３０とカメラ側マウント２０の爪部同士が干渉することはない。しかしながら、正規以外の位相でカメラ２に対しレンズユニット３を取り付けようとすると、両マウントの爪が干渉して取り付けることができない構造となっている。
【００３１】
これは、カメラ側マウント爪部２０３、２０４、２０５の円弧長が等しくならないように設定しているためである。使用者がレンズユニット３をカメラ２に取り付ける際、正規の位相をカメラ側マウントにある位相指標２０８と、レンズユニットにある位相指標３３の位相が略一致することを確認したうえで装着する。これにより、正規の位相でカメラ２とレンズユニット３を装着することができる。
【００３２】
図５の状態では、カメラ側マウント２０の当接部２０１とレンズ側マウントの当接部３０１が接することで、光軸方向に関するカメラ２とレンズユニット３の位置決めがなされる。また、カメラ側マウント２０の嵌合部２０２とレンズ側マウント３０の嵌合部３０２が嵌合されることで、径方向の位置決めがなされる。
【００３３】
図５の状態から図６に示すように、レンズユニット３を時計回りに回転させると、カメラ側マウント２０の撮影者側にある不図示のバヨネットばねの円弧部２１１、２１２、２１３は、レンズ側マウントの爪部３０３、３０４、３０５によって挟み込まれる。これにより、レンズ側マウント３０をカメラ側マウント２０に対し引き込む荷重、すなわち、撮影者側へ付勢する荷重が発生し、カメラ側マウント２０に対し、レンズ側マウント３０が当接した状態が保たれる。
【００３４】
所定の角度だけ回転させると、レンズユニット３のストッパーピン３４がカメラ側マウントの爪２０４の端に対し当接することで、回転方向の位置決めがなされる。このとき、不図示のロックピン２３がレンズ側マウント３０のロック穴３０７に嵌ることで、レンズユニット３が逆回転することを防止する。
【００３５】
以上説明したように、レンズユニット３を装着する際、当接部２０１と３０１、嵌合部２０２と３０２は、それぞれ摺動することとなる。特に、当接部２０１と３０１については、バヨネットばね２２を挟み込むことで光軸方向の荷重が作用するため、嵌合部２０２と３０２に比べて大きな摩擦力が発生する。そのため、レンズの着脱を繰り返し行っていると、カメラ側マウント２０、もしくはレンズ側マウント３０が摩耗し、粉塵が発生することとなる。
【００３６】
なお、本実施形態では、マウントキャップ１は、使用者が素手で使用する場合について説明している。この場合、全体を含油材料で作製すると、使用者が含油部分に手を触れてしまうこととなるため、使用者の手に潤滑剤が付着するのを防ぐ目的で、使用者が手を触れる箇所については含油材料を用いないようにしている。
【００３７】
上述のように、マウントキャップ１の構造は、レンズ側マウント３０と同様にしてカメラ側マウント２０に対して装着が可能となっている。レンズ側マウント３０の当接部３０１に該当する部分がマウントキャップ１の当接部１０１であり、レンズ側マウント３０の嵌合部３０２に該当する部分がマウントキャップ１の嵌合部１０２となっている。使用者がマウントキャップ１をカメラ側マウント２０に対して着脱させると、含油部１０１、１０２からカメラ側マウントの当接部２０１、嵌合部２０２に対して潤滑剤を含んだ含油部が表面を摺動する。これにより、カメラ側マウント２０の当接部２０１、嵌合部２０２に対して潤滑剤が供給されることになる。
【００３８】
なお、本実施形態に係るマウントキャップ１による潤滑剤供給効果をより高めるためには、カメラ側マウント２０の当接部２０１や嵌合部２０２について、潤滑剤を保持する構造を設けることが望ましい。例えば、外径と同心円状の挽き目形状があると、潤滑剤がとどまりやすく、潤滑剤による摩擦低減効果が維持しやすい。また、当接部１０１または嵌合部１０２の少なくとも１つが含油部材であればよい。例えば、嵌合部１０２のみが含油部材である場合、嵌合部１０２がカメラ側マウント２０に嵌合される際にカメラ側マウント２０との嵌合部分から潤滑剤が当接部１０１まで染み出てくることで、当接面も潤滑剤による摩擦低減効果が維持しやすい。
【００３９】
また、本実施形態では、マウントキャップ１は、ポリカーボネート樹脂とフッ素系樹脂の組み合わせとしているが、使用する材質はこれに限定されない。例えば、基部はアルミニウム合金などの金属材料でもよく、含油部も焼結ステンレスなどの多孔質金属材料でもよい。締結方法もねじ締結でもよいし、例えば、インサート成形、アウトサート成形などで一体構造物として成形により作製してもよい。
【００４０】
以上、本発明の好ましい実施形態について説明したが、本発明はこれらの実施形態に限定されず、その要旨の範囲内で種々の変形及び変更が可能である。例えば、本実施例中ではカメラ、すなわち撮像装置側のマウントに対し装着するマウントキャップの構造について説明したが、同じようにしてレンズユニット側に対しても、本発明は適用可能である。
【符号の説明】
【００４１】
１      マウントキャップ
１０１  当接部
１０２  嵌合部
２０    カメラ側マウント
３０    レンズ側マウント
【図１】
2015121747.tif 000003
【図２】
2015121747.tif 000004
【図３】
2015121747.tif 000005
【図４】
2015121747.tif 000006
【図５】
2015121747.tif 000007
【図６】
2015121747.tif 000008